(57)【特許請求の範囲】
【請求項１】
少なくとも第１の情報および第２の情報を出力するための複数台の情報出力装置と、
各情報出力装置に対して所定の距離以内の領域に人がいることを検出するために、各情報出力装置に内蔵あるいは外付けされた人感センサと、
各情報出力装置に内蔵あるいは外付けされた芳香放出部とを有しており、
各情報出力装置は、画像出力部、音声出力部、および、これら画像出力部および音声出力部を介して前記第１および第２の情報のいずれを出力するのかを切り替え制御する制御部を備えており、
前記制御部は、前記領域内に人がいない場合には、前記第１の情報を前記画像出力部を介して出力し、前記領域内に人がいることが検出されている間は、前記第２の情報を前記画像出力部および前記音声出力部を介して出力し、当該第２の情報を出力する際に前記芳香放出部から香りを放出するようになっており、
各情報出力装置は、パチンコ店などの遊技店におけるトイレ内の各便器に対応した位置に設置されており、
各情報出力装置に対して前記第１の情報および前記第２の情報を配信する情報配信サーバと、インターネットなどの通信回線を介して、前記情報配信サーバに前記第２の情報を配信する中央配信サーバと、を有しており、
前記情報配信サーバの画像メモリに、配信された前記第２の情報が記憶保持され、
前記制御部は、前記第２の情報を前記画像出力部に出力すると同時に占いボタンを前記画像出力部の表示画面上に表示させ、当該占いボタンが操作されるとその旨を前記中央配信サーバに通知するようになっており、
前記中央配信サーバは、前記占いボタンが操作されたことが通知されると、占い結果データを作成して、当該占い結果データを前記制御部を介して前記占いボタンが操作された前記情報出力装置の前記表示画面に表示させることを特徴とする遊技店の情報提供システム。
【請求項２】
請求項１において、
前記芳香放出部は異なる種類の香りを放出可能であり、
前記情報出力装置は、前記領域内に入った人の体温を検出するための内蔵あるいは外付けされた体温センサを備えており、
前記制御部は、前記体温センサの検出結果に基づいて選択された香りを放出させることを特徴とする遊技店の情報提供システム。
【請求項３】
請求項１または２において、
各情報出力装置には、対応する便器に取り付けられている排尿成分を検査する排尿検査器が接続されており、
各情報出力装置の前記制御部は、前記第２の情報の出力と共に、あるいは、当該第２の情報の出力に続けて、前記排尿検査結果に基づき選択された第３の情報を前記画像出力部および／または前記音声出力部を介して出力することを特徴とする遊技店の情報提供システム。
【請求項４】
請求項１ないし３のうちのいずれかの項において、
前記情報出力装置は、複数種類の前記第２の情報を出力可能であり、
当該情報出力装置は、前記領域内に入った人の体温を検出するための内蔵あるいは外付けされた体温センサを備えており、
前記制御部は、前記体温センサの検出結果に基づいて選択された前記第２の情報のうちの一つを出力することを特徴とする遊技店の情報提供システム。
【請求項５】
請求項１ないし４のうちのいずれかの項において、
前記情報出力装置は、前記領域内に入った人の顔画像を取得する撮像手段を備えていることを特徴とする遊技店の情報提供システム。
【請求項６】
請求項１ないし５のうちのいずれかの項において、
前記画像出力部の前記表示画面はタッチパネル機能を備えており、
前記情報出力装置は、複数種類の前記第２の情報を出力可能であり、
前記制御部は、前記第２の情報の出力時には最初に予め定められた情報を出力し、前記表示画面の側からの切り替え入力に応じて出力情報を切り替えることを特徴とする遊技店の情報提供システム。
【請求項７】
請求項１ないし６のうちのいずれかの項において、
前記第１の情報は、一般ＴＶ放送、ＢＳ放送、ＣＳ放送、ケーブルＴＶ放送、および、録画映像のうちの一つであることを特徴とする遊技店の情報提供システム。
【請求項８】
請求項１ないし７のうちのいずれかの項において、
前記第２の情報は、次の（１）〜（８）のうちの少なくとも一つであることを特徴とする遊技店の情報提供システム。
（１）新機種（遊技機）入れ替えの案内、レディースデイなどの営業イベントの案内、甘釘まつりなどの遊技機イベントの案内、カニ祭りなどの景品イベントの案内、店内チラシ、などのパーラーイベント情報
（２）遊技機の基本仕様と遊技方法解説（遊技機プロモーション）
（３）大当たり情報、出玉情報
（４）会員サービス情報
（５）休業日、営業時間の案内
（６）企業案内と他店（チェーン店など）情報
（７）求人案内
（８）設置している遊技機とそのレイアウト情報、パーラーに関係するレストラン情報・ブランド品などの情報を含む、パーラー内の広告宣伝
【請求項９】
請求項１ないし８のうちのいずれかの項において、
前記情報出力装置は、前記情報配信サーバから配信される前記第２の情報を記憶保持する記憶部を備えており、
前記制御部は、当該記憶部から前記第２の情報を出力することを特徴とする遊技店の情報提供システム。
【請求項１０】
請求項１ないし９のうちのいずれかの項において、
前記情報配信サーバは、前記第１の情報としての一般ＴＶ放送、ＢＳ放送、ＣＳ放送、およびケーブルＴＶ放送のうちの少なくとも一つを受信するためのＴＶチューナーと、前記第２の情報を記憶している画像メモリとを備えていることを特徴とする遊技店の情報提供システム。
【請求項１１】
請求項１ないし１０のうちのいずれかの項において、
前記遊技店内の前記トイレ以外の場所、および／または、当該遊技店の外に配置された、画像出力部および音声出力部を備えた第２の情報出力装置を有しており、
当該第２の情報出力装置は、前記情報配信サーバから配信される前記第１の情報あるいは前記第２の情報を出力することを特徴とする遊技店の情報提供システム。
【請求項１２】
請求項１ないし１１のうちのいずれかの項において、
前記制御部は、前記領域に人がいることが検出されると、前記第２の情報の出力を常にその先頭から開始させ、前記領域内に人がいることが検出されている間は繰り返し前記第２の情報を出力させることを特徴とする遊技店の情報提供システム。
【請求項１３】
請求項１ないし１２のうちのいずれかの項において、
前記制御部は、前記占いボタンが操作されると前記表示画面上に占いメニュー画面を表示させ、表示されている占いメニュー画面上の一つの占いが選択されると、その占い画面を表示させ、表示された占い画面上において占いの実行が選択されるとその旨を前記中央配信サーバに通知するようになっており、
前記中央配信サーバは、当該通知を受け取ると、選択された占いの結果データを作成して、前記制御部を介して前記の占いの実行が選択された前記情報出力装置の前記表示画面上に、占いの結果を表示させることを特徴とする遊技店の情報提供システム。
【発明の詳細な説明】
【技術分野】
【０００１】
本発明は、パチンコ店などの遊技店内、その他の施設内、あるいは屋外において、各種の広告宣伝などを効果的に行うことのできる情報提供システムに関するものである。
【背景技術】
【０００２】
パチンコ店などの遊技店においては、新機種の入れ替えの案内、大当たり情報、出玉情報、会員サービス情報などの各種の情報がチラシなどの形態で配布される。また、遊技店内においては休憩場所などに設置されているモニター画面上に、そのような情報が放映される。各種の情報をリアルタイムで効率良く遊技客などに提供するためには、情報配信元から通信回線を介して各種の情報を電子データで遊技店に設置した液晶表示装置などの表示装置に配信して放映することが望ましい。
【０００３】
表示装置を用いた広告方法としては、特許文献１(特開平９−１０６２６８号公報)に開示のものがある。ここに開示の広告装置では、常時、ディスプレイ上に広告画像情報を表示し、予め設定した時間帯においてはＴＶ放送を優先して放映するようになっている。しかし、かかる広告装置は、それらを見る人の状態に関係なく一方的に情報を表示するだけである。したがって、表示されている情報に人が注目せず、情報伝達力が弱いという問題点がある。
【０００４】
特許文献２(特開２００１−１４２４２０号公報)に開示の情報表示装置では、画像表示手段に広告画像などを表示しておき、人検出手段によって人を検出すると、音発生手段から、表示されている広告画像に関係のある音を発生させるようになっている。人が近づくと音を発生させることにより、人の関心を引くようにしている。
【０００５】
しかしながら、遊技店内では、各遊技機器から発生する音などによって音声がかき消されてしまい、特許文献２に記載の情報表示装置を用いたとしても、表示される情報に人の関心を集めることが困難である。
【０００６】
ここで、近年においては、女性客などの増加などに伴って、遊技店内のトイレは清潔感のある静寂な環境とされている。したがって、トイレを利用して各種の情報を発信することが考えられる。トイレ内において情報を表示する方法は、特許文献３(特開平１０−１３７１５７号公報)に開示されている。ここに開示されているトイレ用表示システムでは、トイレ内に表示手段を配置し、着座センサ、ドアセンサなどを利用して、トイレ内に人がいる間だけ、表示手段を作動させて情報を表示するようになっている。
【先行技術文献】
【特許文献】
【０００７】
【特許文献１】特開平９−１０６２６８号公報
【特許文献２】特開２００１−１４２４２０号公報
【特許文献３】特開平１０−１３７１５７号公報
【発明の概要】
【発明が解決しようとする課題】
【０００８】
本発明の課題は、上記の従来技術を改良して、人の注意を強く引くことのできる形態で各種の情報を表示して、効率良く表示情報を伝達することのできる遊技店の情報提供システムを提案することにある。
【０００９】
特に、本発明の課題は、遊技店のトイレを利用して効率良く各種の情報を遊技客に伝達することのできる遊技店の情報提供システムを提案することにある。
【課題を解決するための手段】
【００１０】
上記の課題を解決するために、本発明の遊技店の情報提供システムは、
少なくとも第１の情報および第２の情報を出力するための複数台の情報出力装置と、
各情報出力装置に対して所定の距離以内の領域に人がいることを検出するために、各情報出力装置に内蔵あるいは外付けされた人感センサと、
各情報出力装置に内蔵あるいは外付けされた芳香放出部とを有しており、
各情報出力装置は、画像出力部、音声出力部、および、これら画像出力部および音声出力部を介して前記第１および第２の情報のいずれを出力するのかを切り替え制御する制御部を備えており、
前記制御部は、前記領域内に人がいない場合には、前記第１の情報を前記画像出力部を介して出力し、前記領域内に人がいることが検出されている間は、前記第２の情報を前記画像出力部および前記音声出力部を介して出力し、当該第２の情報を出力する際に前記芳香放出部から香りを放出するようになっており、
各情報出力装置は、パチンコ店などの遊技店におけるトイレ内の各便器に対応した位置に設置されており、
各情報出力装置に対して前記第１の情報および前記第２の情報を配信する情報配信サーバと、インターネットなどの通信回線を介して、前記情報配信サーバに前記第２の情報を配信する中央配信サーバと、を有しており、
前記情報配信サーバの画像メモリに、配信された前記第２の情報が記憶保持され、
前記制御部は、前記第２の情報を前記画像出力部に出力すると同時に占いボタンを前記表示画面上に表示させ、当該占いボタンが操作されるとその旨を前記中央配信サーバに通知するようになっており、
前記中央配信サーバは、前記占いボタンが操作されたことが通知されると、占い結果データを作成して、当該占い結果データを前記制御部を介して前記占いボタンが操作された前記情報出力装置の前記表示画面に表示させることを特徴としている。
【００１１】
遊技店内において静寂な場所であるトイレ内を情報提供場所として利用することにより、効率良く情報を遊技客に伝達することができる。特に、本発明では、便器に人が近づくと、情報出力装置の出力情報および出力形態がＴＶ番組などの映像のみの放映(第１の情報)から、広告宣伝などの画像および音声による第２の情報の出力に切り替わる。この情報の切り替わりよって、便器に近づいた人が情報出力装置の存在に気づき、その出力内容に注目することになる。
【００１２】
また、切り替わり後の第２の情報は、第１の情報の出力形態とは異なる第２の出力形態で出力される。すなわち、視覚、聴覚、および臭覚で認識可能な出力形態で出力される。したがって、出力情報に対して人が極めて強い関心を寄せて、その内容を確認することが期待される。また、視覚および聴覚に加えて、臭覚を刺激した場合には、出力情報が強く記憶に残ることが期待される。よって、本発明によれば、遊技店内の静寂な場所であるトイレを利用して、極めて効率良く各種の情報を人に伝達することのできる情報提供システムを実現できる。更に、第２の情報と同時に占いボタンを表示することにより、占いを通じて効果的に第２の情報を表示できる。
【００１３】
ここで、本発明では、前記芳香放出部は異なる種類の香りを放出可能であり、前記情報出力装置は、前記領域内に入った人の体温を検出するための内蔵あるいは外付けされた体温センサを備えており、前記制御部は、前記体温センサの検出結果に基づいて選択された香りを放出させることを特徴としている。
【００１４】
また、本発明では、前記情報出力装置には、対応する便器に取り付けられている排尿成分を検査する排尿検査器が接続されており、前記情報出力装置の前記制御部は、前記第２の情報の出力と共に、あるいは、当該第２の情報の出力に続けて、前記排尿検査結果に基づき選択された第３の情報を前記画像出力部および／または前記音声出力部を介して出力することを特徴としている。
【００１５】
さらに、本発明では、前記情報出力装置は、複数種類の前記第２の情報を出力可能であり、当該情報出力装置は、前記領域内に入った人の体温を検出するための内蔵あるいは外付けされた体温センサを備えており、前記制御部は、前記体温センサの検出結果に基づいて選択された前記第２の情報うちの一つを出力することを特徴としている。
【００１６】
さらには、本発明では、前記情報出力装置は、前記領域内に入った人の顔画像を取得する撮像手段を備えていることを特徴としている。カメラなどの撮像手段を配置しておくことにより、例えば、遊技者の顔色などの生体情報を読み込むことができる。
【００１７】
さらにまた、本発明では、前記画像出力部の表示画面はタッチパネル機能を備えており、前記情報出力装置は、複数種類の前記第２の情報を出力可能であり、前記制御部は、前記第２の情報の出力時には最初に予め定められた情報を出力し、前記表示画面の側からの切り替え入力に応じて出力情報を切り替えることを特徴としている。
【００１８】
ここで、前記第１の情報は、一般ＴＶ放送、ＢＳ放送、ＣＳ放送、ケーブルＴＶ放送、および、録画映像のうちの一つとすることができる。
【００１９】
ここで、前記第２の情報として、次の(１)〜(８)を挙げることができる。
(１)新機種(遊技機)入れ替えの案内、レディースデイなどの営業イベントの案内、甘釘まつりなどの遊技機イベントの案内、カニ祭りなどの景品イベントの案内、店内チラシ、などのパーラーイベント情報
(２)遊技機の基本仕様と遊技方法解説(遊技機プロモーション)
(３)大当たり情報、出玉情報
(４)会員サービス情報
(５)休業日、営業時間の案内
(６)企業案内と他店(チェーン店など)情報
(７)求人案内
(８)設置している遊技機とそのレイアウト情報、パーラーに関係するレストラン情報・ブランド品などの情報を含む、パーラー内の広告宣伝
【００２０】
次に、本発明では、各情報出力装置に対して、前記第１の情報および前記第２の情報を配信する情報配信サーバを有しているので、情報出力装置から、このような情報を記憶する記憶部を省略することができる。
【００２１】
この場合、前記情報出力装置は、前記情報配信サーバから配信される前記第２の情報を記憶保持する記憶部を備えており、前記制御部は、当該記憶部から前記第２の情報を出力するように構成することができる。
【００２２】
また、前記情報配信サーバは、前記第１の情報としての一般ＴＶ放送、ＢＳ放送、ＣＳ放送、およびケーブルＴＶ放送のうちの少なくとも一つを受信するためのＴＶチューナーと、前記第２の情報を記憶している画像メモリとを備えた構成とすることができる。
【００２３】
さらに、前記遊技店内の前記トイレ以外の場所、および／または、当該遊技店の外に配置された、画像出力部および音声出力部を備えた第２の情報出力装置を有し、当該第２の情報出力装置は、前記情報配信サーバから配信される前記第１の情報あるいは前記第２の情報を出力するようにしてもよい。
【００２４】
また、本発明では、インターネットなどの通信回線を介して、前記情報配信サーバに前記第２の情報を配信する中央配信サーバを有しており、前記情報配信サーバの前記画像メモリに、配信された前記第２の情報が記憶保持されるので、中央配信サーバから、遊技店だけでなく遊技台メーカーなどのデータから生成した情報を提供できる。
【００２５】
さらにまた、本発明では、前記制御部は、前記領域に人がいることが検出されると、前記第２の情報の出力を常にその先頭から開始させ、前記領域内に人がいることが検出されている間は繰り返し前記第２の情報を出力させることを特徴としている。
【００２６】
また、本発明では、前記制御部は、前記第２の情報を前記画像出力部に出力すると同時に占いボタンを前記表示画面上に表示させ、当該占いボタンが操作されるとその旨を前記中央配信サーバに通知するようになっており、前記中央配信サーバは、前記占いボタンが操作されたことが通知されると、占い結果データを作成して、当該占い結果データを前記制御部を介して前記占いボタンが操作された前記情報出力装置の前記表示画面に表示させる。このように、ゲンを担ぐという遊技者の心理に占いで応え、これに宣伝広告の要素を加えることにより、遊技者、遊技店、台メーカーともに有益な情報提供システムを構築することができる。
【００２７】
また、複数の占いを行うことができるようにするために、本発明では、前記制御部は、前記占いボタンが操作されると前記表示画面上に占いメニュー画面を表示させ、表示されている占いメニュー画面上の一つの占いが選択されると、その占い画面を表示させ、表示された占い画面上において占いの実行が選択されるとその旨を前記中央配信サーバに通知するようになっており、前記中央配信サーバは、当該通知を受け取ると、選択された占いの結果データを作成して、前記制御部を介して前記の占いの実行が選択された前記情報出力装置の前記表示画面上に、占いの結果を表示させることを特徴としている。
【００２８】
占い結果として、相性の良い遊技台情報などを表示すれば、遊技台の広告宣伝を効果的に行うことができる。
【発明の効果】
【００２９】
本発明の情報提供システムでは、情報出力装置に人が近づくと、出力情報および出力形態の切り替えを行う。この切り替えによって、情報出力装置に近づいた人が当該情報出力装置の存在に気づき、人の注意を引くことができる。また、切り替え後の第２の情報は、第１の情報の出力形態とは異なる第２の出力形態で出力される。第２の出力形態は、視覚、聴覚、臭覚および触覚のうちの少なくとも二つの感覚で認識可能な出力形態である。例えば、広告情報が、視覚により認識される画像と、聴覚により認識される音声と、臭覚によって認識される香りとの組み合わせにより出力される。あるいは、触覚によって認識される振動などが同時に出力される。したがって、出力情報に対して人が極めて強い関心を寄せて、その内容を確認することが期待される。また、視覚および聴覚に加えて、臭覚、触覚を刺激した場合には、出力情報が強く記憶に残ることが期待される。よって、本発明によれば、極めて効率良く各種の情報を人に伝達することのできる情報提供システムを提供することができる。
【図面の簡単な説明】
【００３０】
【図１】本発明を適用した遊技店の情報提供システムを示す全体構成図である。
【図２】図１の情報提供システムの情報出力装置を示す概略構成図である。
【図３】図２の情報出力装置の動作を示す概略フローチャートである。
【図４】図２の情報出力装置の代わりに用いることのできる情報出力装置の例を示す概略構成図である。
【発明を実施するための形態】
【００３１】
以下に、図面を参照して、本発明を適用した情報提供システムの実施の形態を説明する。
【００３２】
図１は、本実施の形態に係る遊技店の情報提供システムを示す全体構成図である。情報提供システム１は、遊技店２に設置されている情報配信サーバ３と、当該遊技店２の各トイレ４、５にそれぞれ設置されている複数台の情報出力装置６(１)〜６(ｍ)、７(１)〜７(ｎ)(ｍ，ｎ：正の整数)と、遊技店２の内部に設置されている複数台、例えば２台の大型表示装置８(１)、８(２)と、遊技店２の外に設置されている１台あるいは複数台の屋外スーパービジョン９とを有している。
【００３３】
情報配信サーバ３にはＬＡＮケーブル１１が接続されており、ＬＡＮケーブル１１はハブ(ＨＵＢ)１２〜１５を介して分岐して、大型表示装置８(１)、８(２)、屋外スーパービジョン９にそれぞれ接続されている。また、ＬＡＮケーブル１１は、下位のハブ(ＨＵＢ)１６、１７を介して、それぞれ、情報出力装置６(１)〜６(ｍ)および７(１)〜７(ｎ)に接続されている。
【００３４】
また、情報配信サーバ３は通信回線、例えばインターネット１８を介して、宣伝情報作成・配信センタ１９の側の中央配信サーバ２０に接続されている。情報配信サーバ３は、中央配信サーバ２０から宣伝情報(第２の情報)の配信を受けると、それを内蔵の画像メモリ２１に記憶保持する。また、ここに記憶保持した情報を、キャプチャーボード２２によってＭＰＥＧ規格でエンコード(圧縮)してＬＡＮ出力するように構成されている。さらに、情報配信サーバ３にはチューナー２３が内蔵されており、ＴＶ放送、地上波放送、ＢＳ放送、ＣＳ放送などの放送番組(第１の情報)を受信して同様にＬＡＮ出力するように構成されている。
【００３５】
各情報出力装置６(１)〜６(ｍ)、７(１)〜７(ｎ)では、常時は、これらのＴＶ放送番組(第１の情報)を無音声で放映しており、人が接近すると、表示情報を、ＴＶ放送番組から、宣伝情報(第２の情報)に切り替えるように構成されている。これに対して、遊技店２内の大型表示装置８(１)、８(２)および屋外スーパービジョン９では、常に、所定の宣伝情報が繰り返し放映されるように構成されている。
【００３６】
図２は情報出力装置６(１)の概略ブロック図である。出力装置６(１)以外の情報出力装置６(２)〜６(ｍ)、および情報出力装置７(１)〜７(ｎ)も同一構成であるので、これらの説明は省略する。
【００３７】
情報出力装置６(１)は、制御ボード３０と情報入出力ユニット５０を備えている。制御ボード３０には情報切替処理部３１が搭載されており、この情報切替処理部３１の第１入力端３１ａには、配信サーバ３から常時ストリーミング配信されているＴＶ放送番組の画像情報(第１の情報)がＬＡＮポート３０ａを介して供給される。また、情報切替処理部３１の第２入力端３１ｂには、制御ボード３０に搭載されている記憶部３２に記憶保持されている宣伝情報(第２の情報)が供給可能となっている。記憶部３２はハードディスク、半導体メモリ、ＤＶＤディスクなどからなり、宣伝情報が例えばＭＰＥＧ画像データの形態で記憶保持されている。
【００３８】
情報切替処理部３１は、これら第１および第２入力端３１ａ、３１ｂに供給される情報を択一的に選択してその出力端３１ｃから出力する。出力された情報は復号処理部３３に供給され、ここにおいて所定の復号処理が施される。例えば、ＭＰＥＧデコード処理が施される。復号処理された後の復号化情報は動画信号生成部３４に供給され、ここにおいて復号化情報から画像信号および音声信号が生成される。これらの信号は出力ポート３５を介して出力され、情報入出力ユニット５０に供給される。
【００３９】
また、制御ボード３０には芳香放出部３６が搭載されており、制御ボード３０に搭載されている当該芳香放出部３６および上記の各部３１〜３４は、制御ボード３０に搭載されているＣＰＵを中心に構成された制御部３７によって駆動制御される。制御部３７には、人感センサとして機能する赤外線反射センサ３８の出力信号が入力ポート３９を介して供給される。また、人体温度を検出するための体温センサ４０(生体情報センサ)の出力信号が入力ポート４１を介して供給される。さらに、排尿成分を分析して健康状態を判定する排尿検査器４２(生体情報センサ)の出力信号が入力ポート４３を介して供給される。制御部３７は、そのＲＯＭ内に格納されている制御プログラムにしたがって、これらの入力信号に基づき各部を駆動制御する。
【００４０】
情報入出力ユニット５０は、情報出力部として画像出力部５１および音声出力部５２を備えている。また、情報入力部としてカメラなどの撮像部５３を備えている。また、画像出力部５１の表示画面５４にタッチパネル機能を持たせて、操作入力を行うことができるようにしてもよい。
【００４１】
ここで、赤外線反射センサ３８は、トイレ４の各便器に対して一定の距離以内の領域に人が入ったか否かを検出するためのものであり、各便器の近傍位置、あるいは、情報出力装置６(１)に内蔵されている。情報出力装置６(１)の情報切替処理部３１では、その第１入力端３１ａが出力端３１ｃに接続された状態に保持されており、常時は、情報配信サーバ３からストリーミング配信されているＴＶ放送番組(第１の情報)が情報入出力ユニット５０に供給され、情報入出力ユニット５０の画像出力部５１の表示画面５４には当該ＴＶ放送番組の映像のみが表示されている。
【００４２】
赤外線反射センサ３８によって人が検出されると、制御部３７は情報切替処理部３１を切替制御して、その第１入力端３１ａと出力端３１ｃとを切り離して第２入力端３１ｂを出力端３１ｃに接続し、記憶部３２に記憶保持されている宣伝情報(第２の情報)を情報切替処理部３１、復号処理部３３および動画信号生成部３４を介して、画像および音声信号を情報入出力ユニット５０に供給する。この結果、情報入出力ユニット５０では、宣伝情報の画像が表示画面５４に表示され、その音声が音声出力部５２から出力される。
【００４３】
体温センサ４０は便器に接近した人のサーモグラフィを測定し、それに基づき、その人の興奮状態を多段階に判別し、判別結果を出力するものである。例えば、体温が低い場合と高い場合の二段階の判別を行い、判別結果を出力する。制御部３７は、体温が低いと判断された場合には、気分を高揚させる効能のある香りを芳香放出部３６から放出させ、体温が高いと判断された場合には、気分を落ち着かせる効能のある香りを芳香放出部３６から放出させる。
【００４４】
排尿検査器４２は例えば各便器の排水管に取り付けられており、排尿の成分の一つあるいは複数を検出し、それに基づき健康状態を判断する。例えば、排尿から糖が検出された場合には、制御部３７は、記憶部３２に予め記憶保持されている定型メッセージ、例えば、「健康診断にいかれることをお勧めします。」などのメッセージ(第３の情報)を宣伝情報と共に表示画面５４上に表示させるようになっている。
【００４５】
一方、情報入出力ユニット５０の撮像部５３で撮像された人の顔画像は情報出力装置６(１)からＬＡＮケーブル１１を介して配信サーバ３に供給される。情報配信サーバ３では、例えば、不審人物画像情報などを記憶保持しておき、受信した撮影画像をこれらと照合することにより、遊技店のセキュリティを高めることができる。また、顔画像に基づき顔色などの生体情報を読み込み、これに基づき、芳香放出部３６から放出される香りの種類を切り替え制御するようにしてもよい。
【００４６】
また、画像出力部５１の表示画面５４にタッチパネル機能を持たせてある場合には、複数種類の宣伝情報を出力可能としておき、入力ポート４５を介して制御部３７に供給されるタッチパネル入力によって、表示されている宣伝情報を切り替え表示することができる。例えば、第２の情報として複数の情報を用意しておき、最初にメニュー画面を表示し、そこに表示されている「遊技台情報」「出玉情報」「イベント情報」などのメニューを選択させて、選択された情報を表示するように構成することができる。
【００４７】
(情報出力装置の情報出力動作)
図３は、本例の情報提供システム１における情報出力装置６(１)の情報出力動作を示す概略フローチャートである。この図を参照して情報出力装置６(１)の動作を以下に纏めて説明する。まず、情報出力装置６(１)では、常時、ＬＡＮケーブル１１を介して、情報配信サーバ３の側から一般のＴＶ放送番組情報である第１の情報がストリーミング配信されており、これを、画像出力部５１の表示画面５４上で放映している。放映形態は、音声は出力せずに映像のみを出力する第１の出力形態である(ステップＳＴ１)。
【００４８】
この放映状態において、トイレ４に遊技客が入り、便器の前に立つと、赤外線反射センサ３８によって人が便器の前に立ったことが検出される(ステップＳＴ２)。各赤外線反射センサ３８の感知領域は、隣の便器に設置されている赤外線反射センサの感知領域と重複することの無いように設定されている。便器の前に人が立つと、制御部３７によって出力情報の切り替えが行われる(ステップＳＴ３)。この結果、画像出力部５１の表示画面５４には、予め情報配信サーバ３の側から配信されて記憶部３２に記憶保持されている宣伝情報が、表示画面５４に画像表示されると共に、音声出力部５２から音声が出力される(ステップＳＴ４)。宣伝情報は例えば５分間以内で終了する短い時間のものとし、これを繰り返し出力する。
【００４９】
また、宣伝情報の表示と同時に、便器の前に立った人の体温が体温センサ４０によって測定され、測定結果に応じて、芳香放出部３６から香りが一定時間だけ放出される(ステップＳＴ５)。例えば、測定された体温が予め設定されている値よりも低い場合には、気分を高揚させる効能のある香りを芳香放出部３６から一定時間放出する。体温が高い場合には、気分を落ち着かせる効能のある香りを芳香放出部３６から一定時間放出する。
【００５０】
ここで、体温センサ４０の測定結果に応じて複数種類の宣伝情報のうちの一つを選択して出力してもよい。例えば、最初に、予め定められている宣伝情報を出力し、しかる後に、測定結果に基づき選択された宣伝情報に切り替えるようにすればよい。
【００５１】
さらに、排尿成分が排尿検査器４２によって検査され、その特定成分に基づき、健康状態についてのメッセージなどが表示画面５４に表示される(ステップＳＴ６)。例えば、排尿から糖が検出された場合には、制御部３７は、記憶部３２に予め保持されている定型メッセージ、例えば、「健康診断にいかれることをお勧めします。」「疲労ぎみです。」などのメッセージを宣伝情報と共に表示画面５４上に表示させる。
【００５２】
人が便器から立ち去ると、赤外線反射センサ３８によってそのことが検出され(ステップＳＴ７)、制御部３７によって出力切り替え処理が行われて(ステップＳＴ８)、画像出力部５１の表示画面５４が再びＴＶ番組の放映画面に戻る。
【００５３】
なお、情報入出力ユニット５０の記憶部３２に記憶保持されている宣伝情報は、情報配信サーバ３の側から事前に配信することができる。また、宣伝情報は、情報配信サーバ３の側から更新可能であり、例えば、更新処理は、ストリーミングと同時に行うことが可能である。
【００５４】
(出力情報の例)
上記の例では、人が便器の前に立つと第２の情報として所定の宣伝情報を出力するようにしている。遊技店における宣伝情報としては、例えば次のような情報を挙げることができる。
(１)遊技店イベント情報
新機種(遊技機)入れ替えの案内(「３の付く日・・・」「レディースデイ」「タイムサービス」など)
遊技機イベントの案内(「５，６高設定まつり・・・」「甘釘・・・」「大海祭
り・・・」など)
景品イベントの案内(「北海道カニ祭り・・・」など)
店内ちらし情報(「当日チラシ」「ミニチラシ」など)
(２)遊技機の基本仕様と遊技方法解説(遊技機プロモーション)
(３)大当たり情報、出玉情報
(４)会員サービス情報
(５)休業日、営業時間の案内
(６)企業案内と他店(チェーン店など)情報
(７)求人案内
(８)遊技店内の広告宣伝
遊技機情報(設置している遊技機とそのレイアウト)
遊技店に関係する品目情報(関係するレストラン情報、ブランド品などの情報)
【００５５】
次に、第１の情報としては、一般ＴＶ放送、ＢＳ(アナログ、デジタル)放送、ＣＳ放送、ケーブルＴＶ放送を挙げることができる。これに加えて、スポーツ(野球、サッカー、ゴルフ、オリンピック競技など)の録画映像、一般ビデオコンテンツ(海、山、宇宙など)を放映してもよい。
【００５６】
(情報の出力形態)
上記の例では、通常は、画像出力部５１の表示画面５４に映像のみを表示している。すなわち、視覚により認識可能な第１の出力形態で出力している。また、人が便器の前に立つと、宣伝情報を、視覚、聴覚、臭覚により認識可能な第２の出力形態で出力している。
【００５７】
第２の出力形態としては、視覚、聴覚および、触覚により認識可能な第２の出力形態とすることもできる。例えば、振動モータなどの振動発生部を用いて振動を感知させながら画像および音声を出力するようにしてもよい。
【００５８】
(システム構成例)
上記の例では、情報配信サーバ３と、各情報出力装置の間をＬＡＮケーブルで結び、各情報出力装置に宣伝情報を記憶保持するための記憶部３２を持たせている。したがって、各情報出力装置においてオンデマンド対応で宣伝情報を出力でき、宣伝情報を個々の情報出力装置に個別に登録することもできる。
【００５９】
ここで、各情報出力装置に宣伝情報を記憶保持しないようにしてもよい。例えば、宣伝情報を記憶保持するための記憶部を各情報出力装置から省略することも可能である。この場合には、情報配信サーバ３の側において、各情報出力装置に配信する第２の情報を保持しておく必要があり、各情報出力装置からの要求に応じて第２の情報が配信される。
【００６０】
一方、ＬＡＮ方式の代わりに、周波数分割多重方式により情報配信サーバ３から各情報出力装置に第２の情報を配信するようにしてもよい。この場合には、同軸ケーブルを介して情報配信サーバと各情報出力装置が接続され、各情報出力装置の側にチューナーが配置されている。また、この場合においても、各情報出力装置の側に第２の情報を保持するためのメモリを搭載する構成と、このようなメモリの搭載を省略する構成のいずれをも採用できる。オンデマンド対応のためにはメモリを各情報出力装置に持たせることが望ましい。
【００６１】
(情報出力装置の別の例)
図４は情報出力装置６(１)の別の例を示す概略構成図である。本例の情報出力装置６Ａは長方形の偏平な装置ケース６１を備え、この装置ケース６１の前面の矩形枠６２の内側に、液晶表示装置６３(画像出力部)の表示画面６４が露出している。矩形枠６２の左右の枠部分の背面側には左右のスピーカ６５、６６(音声出力部)が配置されており、矩形枠６２の下側の枠部分の中央には装置ケース６１に内蔵されている芳香器６７(芳香放出部)の芳香口６７ａが開口している。
【００６２】
装置ケース６１には制御ボード７０が内蔵されている。この制御ボード７０には、ＳＴＢ(Ｓｅｔ Ｔｏｐ Ｂｏｘ)７１が搭載されている。ＬＡＮポート７２から入力するＴＶ放送番組の画像情報が、ここでＮＴＳＣ信号に変換されてＮＴＳＣポート７３から液晶表示装置６３のドライバ(図示せず)に出力され、ドライバを介して表示画面６４上に表示されるようになっている。また、情報配信サーバ３の側から配信されて、ＬＡＮポート７２から入力される宣伝情報は、ＴＣＰ−ＩＰプロトコル・インターフェース７４およびＭＰＥＧデコーダー７５を経由して、ＭＰＥＧ画像メモリ７６(記憶部)に記憶保持される。ここに保持された宣伝情報は、ＭＰＥＧデコーダー７５によってデコードされて音声および画像を含むＮＴＳＣ方式のコンポジット信号に変換された後に、ＮＴＳＣポート７３から液晶表示装置６３に出力され、画像情報がその表示画面６４に出力され、音声情報が左右のスピーカ６５、６６から出力されるようになっている。
【００６３】
制御ボード７０に搭載されている上記の各部、および芳香器６７は、ＣＰＵを中心に構成されている制御部７７によって駆動制御される。制御部７７には、人感センサ７８の出力信号が入力ポート７９を介して供給される。また、人体温度を検出するための体温センサ８１の出力信号が入力ポート８２を介して供給される。さらに、排尿成分を分析して健康状態を判定する排尿検査器８３の出力信号が入力ポート８４を介して供給される。制御部７７は、そのＲＯＭ内に格納されている制御プログラムにしたがって、これらの入力信号に基づき各部を駆動制御する。
【００６４】
本例では、人感センサ７８は、トイレ４の各便器に対して一定の距離以内の領域に人が入ったか否かを検出するためのものであり、各便器の近傍位置、あるいは、情報出力装置６Ａに内蔵されている。制御部７７は、常時は、表示画面６４にＴＶ放送番組を表示させているが、人が当該領域内に入ったことが検出されると、表示情報を、ＴＶ放送番組から、ＭＰＥＧ画像メモリ７６に保持されている宣伝情報に切り替える。
【００６５】
また、体温センサ８１は便器に接近した人のサーモグラフィを測定し、それに基づき、その人の興奮状態を多段階に判別し、判別結果を出力するものである。例えば、体温が低い場合と高い場合の二段階の判別を行い、判別結果を出力する。制御部７７は、体温が低いと判断された場合には、気分を高揚させる効能のある香りを芳香器６７から放出させ、体温が高いと判断された場合には、気分を落ち着かせる効能のある香りを芳香器６７から放出させる。
【００６６】
一方、排尿検査器８３は例えば各便器の排水管に取り付けられており、排尿の成分の一つあるいは複数を検出し、それに基づき健康状態を判断する。例えば、排尿から糖が検出された場合には、制御部７７は、ＭＰＥＧ画像メモリ７６に予め保持されている定型メッセージ、例えば、「健康診断にいかれることをお勧めします。」などのメッセージ(第３の情報)を宣伝情報と共に表示画面上に表示させるようになっている。
【００６７】
なお、図４において想像線で示すように、ＣＦ(コンパクトフラッシュ(登録商標))カード、ＳＤメモリカードなどのリムーバブルＭＰＥＧ画像メモリ９０を装着可能とし、例えば、遊技店２において独自に作成した広告情報などを各情報出力装置６Ａにおいて個別に表示できるようにしてもよい。勿論、情報配信サーバ３の画像メモリ２１に遊技店２において独自に作成した広告情報を入れて、これを各情報出力装置において出力するようにしてもよい。
【００６８】
また、液晶表示装置６３の表示画面６４にタッチパネル機能を持たせ、複数種類の宣伝
情報を表示可能としておき、図４において想像線で示すタッチパネル入力９１によって、表示されている宣伝情報を切り替え表示できるようにしてもよい。例えば、第２の情報として複数の情報を用意しておき、最初にメニュー画面を表示し、そこに表示されている「遊技台情報」「出玉情報」「イベント情報」などのメニューを選択させて、選択された情報を表示するように構成することができる。
【００６９】
(その他の実施の形態)
上記の例は本発明を遊技店の情報提供のために適用したものである。本発明の情報提供システムは遊技店以外にも採用することができる。例えば、居酒屋、ファミレスチェーン店、回転寿司などのセルフオーダーシステムとして用いることができる。また、新幹線、航空機の座席に設置される表示システム、空港ロビー、各施設の待合室の表示システムに用いることもできる。さらには、芳香器を利用して、例えば、新作香水の販売促進のための宣伝方法して用いることもできる。
【００７０】
また、施設内などにおいて広告宣伝を行う場合には、本発明による情報出力装置による第２の情報の出力回数をカウントし、所定期間毎に出力回数を集計するようにしてもよい。このようにすれば、集計結果に基づき、例えば情報発信料を算出して、広告依頼元に課金することができる。また、集計結果に基づき、情報出力装置の設置場所が多数の人が集まる情報の伝達に適した場所であるか否かを判断することもできる。
【００７１】
さらに、本発明の情報提供システムは、占い機能を備える。遊技店などのトイレを利用する人の利用時間は男性の場合には例えば約１０〜１５秒であり、広告宣伝情報を効果的にトイレ利用者に提供するためには、利用者が積極的に広告を見る機会を与える必要がある。このためには、占いを通じて広告を効果的に表示することが一つの有効な方法である。
【００７２】
例えば、上記の情報提供システム１は、情報出力装置６(１)の情報入出力ユニット５０の表示画面５４にタッチパネル機能を持っており、人がトイレ４の便器に接近した場合に切り替え表示される表示画面上に占いボタンを表示しておく。利用者が占いボタンを押すと、表示画面５４を占いメニュー画面に切り替えて各種の占いメニューを表示する。例えば、(ａ)今日の占い、(ｂ)今週の占い、および(ｃ)新台占いの三種類を表示する。各占いメニューを選択ボタンとして機能させ、これらの一つが押されると、表示画面５４を押された占いの画面に切り替え、何を占うのかなどの占いの内容を表示すると共に、画面上に占い実行ボタンを表示する。占い実行ボタンが押されると、それが情報出力装置６(１)の制御部３７およびＬＡＮケーブル１１を介して情報配信サーバ３に送られる。情報配信サーバ３は受け取った占い実行指令をインターネット１８を介して中央配信サーバ２０に通知する。
【００７３】
中央配信サーバ２０は、通知を受け取ると、占い結果データを作成し、そのデータを情報配信サーバ３を介して情報出力装置６(１)の情報入出力ユニット５０の表示画面５４上に表示させる。占い結果としては例えば次のような内容が表示される。
【００７４】
(ａ)「今日の占い」の場合
今日のお勧めの遊技台(メーカー名、機種名、仕様概要)の表示
ラッキー台の台番号(台番号に「１」または「８」のつく遊技台がお勧めであるなど)の表示
ツキが回ってくるラッキーアイテム(水玉模様のハンカチ・ガスライター・扇子など)の表示
(ｂ)「今週の占い」の場合
今週はＸＸＸ社製の台(メーカー名、今週の設置機種)がお勧めであるなどの表示
(ｃ)「新台占い」の場合
次回新台入れ替えと遊技者の相性についての占い結果の表示
来週のＸＸ月ＸＸ日新台入れ替え(ＣＲｘｘｘ登場)、あなたとの相性は１２０％などといった新台入れ替え情報を含む表示
【００７５】
ここで、中央配信サーバ２０では、上記のような占い結果などの占い内容データと、遊技台メーカーから提供される機種データと、本例の情報提供システム１が設置されている遊技店２の遊技店データ(設置機種情報、イベント情報)に基づき、占い結果データを編集して生成することが望ましい。例えば、占い内容データについては情報提供システム１の管理運営会社が編集し、機種データは遊技台メーカーが編集し、遊技店データは遊技店の側において編集して、通信回線などを介して、中央配信サーバ２０に提供できるようにすればよい。
【００７６】
このように、占いを利用して広告宣伝を行う場合には次のような作用効果を期待できる。すなわち、ゲンを担ぐという遊技者の心理に占いで応え、これに宣伝広告の要素を加えることにより、遊技者、遊技店、台メーカーともに有益な情報提供システムを構築することができる。
【００７７】
なお、上記の説明では、情報出力装置の情報入出力ユニット５０の画像出力部５１にタッチパネル機能を持たせ、占いを行う場合には表示されている占いボタンを操作するようにしている。この代わりに、情報出力装置の情報入出力ユニット５０に手動操作用の入力ボタンを配置しておき、この入力ボタンが操作されると、表示画面５４が占いメニュー画面に切り替わるようにしてもよい。
【符号の説明】
【００７８】
１ 情報提供システム
２ 遊技店
３ 情報配信サーバ
４、５ トイレ
６(１)〜６(ｍ)、７(１)〜７(ｎ) 情報出力装置
８(１)、８(２) 大型表示装置
９ 屋外スーパービジョン
１１ ＬＡＮケーブル
１２〜１７ ハブ
１８ インターネット
１９ 宣伝情報作成・配信センタ
２０ 中央配信サーバ
２１ 画像メモリ
２２ キャプチャーボード
２３ チューナー
３０ 制御ボード
３０ａ ＬＡＮポート
３１ 情報切替処理部
３２ 記憶部
３３ 復号処理部
３４ 動画信号生成部
３５ 出力ポート
３６ 芳香放出部
３７ 制御部
３８ 赤外線反射センサ
３９、４１、４３ 入力ポート
４０ 体温センサ
４２ 排尿検査器
４５ 入力ポート
５０ 情報入出力ユニット
５１ 画像出力部
５２ 音声出力部
５３ 撮像部
５４ 表示画面
６１ 装置ケース
６２ 矩形枠
６３ 液晶表示装置
６４ 表示画面
６５、６６ スピーカ
６７ 芳香器
６７ａ 芳香口
７０ 制御ボード
７１ ＳＴＢ
７２ ＬＡＮポート
７３ ＮＴＳＣポート
７４ ＴＣＰ−ＩＰプロトコル・インターフェース
７５ ＭＰＥＧデコーダー
７６ ＭＰＥＧ画像メモリ
７７ 制御部
７８ 人感センサ
７９、８２、８４ 入力ポート
８１ 体温センサ
８３ 排尿検査器
【図１】
0005787929.tif 000002
【図２】
0005787929.tif 000003
【図３】
0005787929.tif 000004
【図４】
0005787929.tif 000005